(57)【要約】  測定データと前記測定データを測定した位置の位置データとが対応付けて記録されたデータファイルＤＬを示すアイコン９を１又は複数表示するとともに、地図１３を表示するためのウィンドウ１０を表示する画面３と、前記画面の表示を制御する表示制御部２ｂと、を設け、前記表示制御部２ｂが、前記アイコン９を前記ウィンドウ１０上に移動させた際に、前記測定データの値に応じて予め定めてある所定態様のシンボルを、該測定データに対応する位置データが示す地図１２上の位置に表示させるようにして、任意の場所で測定した測定データを、簡単な画面操作のみで、測定を行った場所に対応する地図上の位置に、かつ、測定を行った時刻毎に表示できるようにした。
2013118837.tif 000002
【特許請求の範囲】
【請求項１】
所定の測定器によって測定された測定データと前記測定データを測定した位置の位置データとが対応付けて記録されたデータファイルを示すアイコンを１又は複数表示するとともに、地図を表示するためのウィンドウを表示する画面と、
前記画面の表示を制御する表示制御部と、を備えてなり、
前記表示制御部が、前記アイコンを前記ウィンドウ上に移動させた際に、前記測定データの値に応じて予め定めてある所定態様のシンボルを、該測定データに対応する位置データが示す地図上の位置に表示させることを特徴とする測定データ表示装置。
【請求項２】
前記測定データに、当該測定データを測定した時刻を示す時刻データがさらに対応付けられて前記データファイルが形成されている請求項１記載の測定データ表示装置。
【請求項３】
前記表示制御部は、複数のアイコンを一括して前記ウィンドウに移動させた際に、各アイコンのデータファイルの全ての測定データ、又は異なる位置に係る全ての測定データを、前記シンボルにより地図上に表示させる請求項１記載の測定データ表示装置。
【請求項４】
前記表示制御部は、前記ウィンドウに移動されたアイコンのデータファイルに含まれる全ての測定データ又は異なる位置に係る全ての測定データのシンボルが、ウィンドウ内に表示されるように地図の縮尺を設定する請求項１記載の測定データ表示装置。
【請求項５】
携帯可能な測定器から前記測定データを受信し、受信した測定データにＧＰＳ受信機構によって取得した前記位置データを対応付けてデータファイルを作成する携帯端末を介して前記データファイルが前記表示制御部に入力される請求項１記載の測定データ表示装置。
【請求項６】
前記携帯端末は、近距離無線又は有線通信により前記測定データを前記測定器から受信する請求項５記載の測定データ表示装置。
【請求項７】
前記携帯端末がスマートフォンであり、近距離無線通信がブルートゥースである請求項６記載の測定データ表示装置。
【請求項８】
前記シンボルが、前記測定データの値に応じて色分けされる点である請求項１記載の測定データ表示装置。
【請求項９】
所定の測定器によって測定された測定データと前記測定データを測定した位置の位置データとが対応付けて記録されたデータファイルを示すアイコンを１又は複数表示するとともに、地図を表示するためのウィンドウを画面に表示し、
前記アイコンを前記ウィンドウ上に移動させた際に、前記測定データの値に応じて予め定めてある所定態様のシンボルを、該測定データに対応する位置データが示す地図上の位置に表示させることを特徴とする測定データ表示方法。
【請求項１０】
所定の測定器によって測定された測定データと前記測定データを測定した位置の位置データとが対応付けて記録されたデータファイルを示すアイコンを１又は複数表示するとともに、地図を表示するためのウィンドウを画面に表示し、
前記アイコンを前記ウィンドウ上に移動させた際に、前記測定データの値に応じて予め定めてある所定態様のシンボルを、該測定データに対応する位置データが示す地図上の位置に表示させる機能をコンピュータに発揮させることを特徴とする測定データ表示プログラム。
【発明の詳細な説明】
【技術分野】
【０００１】
本発明は、任意の場所で測定した環境放射線量などの測定データを、その場所に対応する地図上の位置に表示する測定データ表示装置に関するものである。
【背景技術】
【０００２】
近年、自身の居住地を含むその近傍の生活圏において、環境放射線量を測定したいとの要求が高まっている。そしてこのような要求に対応して、環境放射線量を測定するための携帯可能な線量計が普及し始めている。【０００３】
例えば特許文献１に記載された環境放射線モニタリング装置は、測定現場において放射線量測定を行う多数の移動可能な子局と、子局から離れた場所でデータ処理を行う親局とからなり、各子局は、それぞれその設置場所を検知するＧＰＳ受信機と、一定時間毎に放射線量を測定する放射線測定器と、検知した位置データと測定した放射線量データとを無線で親局に伝送するデータ送信装置とを具備し、親局は、各子局から伝送されてくる位置データと放射線量データとを受信するデータ受信装置と、受信したデータを瞬時にデータベース化しリアルタイムで放射線量率のコンターマップを描かせ、地理情報システム上に重ねて測定エリアの放射線量率マップとして画像化するデータ処理を行うデータ処理装置を具備する構成である。【０００４】
しかしながら、従来の放射線モニタリング装置において、地図上に放射線測定データを描かせるときのユーザインタフェースについては、なんら考えられていない。
例えば、計測した測定データを全て地図上に表示するとなると地図が煩雑になって極めて見にくくなったり、あるいは、地図表示のために測定データを選ぶときの操作性が悪かったりするなど、多くのユーザインタフェースに係る問題点が未解決の状態である。
そして、かかる問題点は、放射線測定器のみならず、ＣＯ２濃度やＮＯｘ濃度、ｐＨ濃度などの環境状態測定器や、運行計などのような移動型車両測定器などのように、測定場所と測定データとの関係に大きな意味がある測定器において、同様に生じている。つまり、頻繁に移動して各所で測定したり、多くの地点に測定器を設置したりするような場合、その測定データをできるだけ簡単な操作で地図上に反映させるようにすることは、測定データの値分布等を多くの人が知る上で重要な課題であると考えられる。
【先行技術文献】
【特許文献】
【０００５】
【特許文献１】特開平８−３３４５６３号公報
【発明の概要】
【発明が解決しようとする課題】
【０００６】
そこで本発明は、上記問題点を解決するためになされたものであって、任意の場所で測定された放射線量などの測定データを、簡単な画面操作のみで地図上に反映させることができる使い勝手の良い測定データ表示装置を提供することをその主たる課題とするものである。
【課題を解決するための手段】
【０００７】
すなわち本発明に係る測定データ表示装置は、所定の測定器で測定された測定データと前記測定データを測定した位置の位置データとが対応付けて記録されたデータファイルを示すアイコンを１又は複数表示するとともに、地図を表示するためのウィンドウを表示する画面と、前記画面の表示を制御する表示制御部と、を備えてなり、前記表示制御部が、前記アイコンを前記ウィンドウ上に移動させた際に、前記測定データの値に応じて予め定めてある所定態様のシンボルを、該測定データに対応する位置データが示す地図上の位置に表示させることを特徴とする。【０００８】
このようなものであれば、アイコンをウィンドウに移動させるという直感的に分かりやすい操作だけで、そのアイコンの示すデータファイルの測定データに対応付けられたシンボルが測定場所に対応する地図上に表示されるので、測定場所における測定値を把握することが可能になる。また、一連の測定データ毎にアイコンが分かれていて、所望の測定データだけをアイコンによってユーザが選択できるので、地図表示が無用に煩雑になることも容易に防止できる。【０００９】
前記測定データに、当該測定データを測定した時刻を示す時刻データがさらに対応付けられて前記データファイルが形成されているものが望ましい。時刻データが付帯されていることによって、測定時間は異なるものの、同じ場所又は近い場所で測定された測定データが複数存在する場合に、例えば表示制御部が、最新の測定データのみを選択してそのシンボルをマッピングしたり、最新のものが地図の最前面に表示されるようにしたりして、見やすくすることができる。最新のものに限らず、例えば過去の一時期における測定データのみをマッピング表示させるようなこともできる。【００１０】
異なる場所における測定データを同時に把握可能にするためには、前記表示制御部は、複数のアイコンを一括して前記ウィンドウに移動させた際に、各アイコンのデータファイルの全ての測定データを、前記シンボルにより地図上に表示させるものが望ましい。この場合、前記表示制御部は、前記ウィンドウに移動されたアイコンのデータファイルに含まれる全ての測定データに係るシンボルが、ウィンドウ内に表示されるように地図の縮尺を設定するものが挙げられる。一方、ウィンドウに表示させるべき測定データとして、データファイルに含まれる全てではなく、同一位置又は近似位置で測定された測定データについては、そのうちの少なくとも１つが含まれるように、測定データを一部間引いても構わない。つまり、位置データから判断される異なる位置に係る測定データを全て表示するようにしてもよい。【００１１】
測定器の付加機能を可及的に少なくして低コスト化を図るためには、ＧＰＳ受信機構を有し、該ＧＰＳ受信機構によって取得した前記位置データを付加することが可能な携帯端末を利用したものが望ましい。例えば携帯可能な測定器から送信されてくる測定データに前記位置データを対応付けてデータファイルを携帯端末に作成させ、該携帯端末に前記データファイルを前記表示制御部に入力（送信）するようにしたものを挙げることができる。【００１２】
前記携帯端末としては、近距離無線又は有線通信により前記測定データを前記線量計から受信するスマートフォンを挙げることができる。近距離無線又は有線通信としては、ブルートゥースやＵＳＢケーブルなどによる有線通信が挙げられる。このように、ブルートゥース等を搭載するスマートフォンであれば、測定器とスマートフォンとの距離が短くなり、測定データに対応付ける位置データが測定現場のものと異なる、つまり位置がずれた位置データになる可能性を低減することができ、位置データの精度を高くすることができる。なお、携帯端末としては、インターネットへの接続が可能でＧＰＳ受信機構などの位置特定機構を有し、さらに近距離無線又は有線通信機能を有するタブレット型コンピュータなどでも構わない。【００１３】
測定データの視認性を高くするためには、前記シンボルが、前記測定データの値に応じて色分けされたものであることが望ましい。
【発明の効果】
【００１４】
このように構成した本発明によれば、アイコンをウィンドウに移動させる簡単な操作だけで、そのアイコンの示すデータファイルの測定データに対応付けられたシンボルが地図上に表示されるので、特定の場所における測定値や地域の測定値の傾向を容易に把握することができる。
【図面の簡単な説明】
【００１５】
【図１】本発明の一実施形態における測定データ表示装置の構成を示す模式的全体図。
【図２】同実施形態における全体構成を示す機能ブロック図。
【図３】同実施形態におけるデータファイルの内容に示す表。
【図４】同実施形態における表示装置の表示内容を示す画面図。
【図５】同実施形態における表示装置の表示内容を示す画面図。
【符号の説明】
【００１６】
１・・・測定データ表示装置
２・・・コンピュータ
３・・・画面
５・・・線量計
６・・・スマートフォン
９・・・アイコン
１１・・・ウィンドウ
１２・・・点
１３・・・地図
【発明を実施するための形態】
【００１７】
以下に本発明の一実施形態について図面を参照して説明する。
【００１８】
本実施形態に係る測定データ表示装置１は、図１に示すように、ノートパソコン２により実現される。ノートパソコン２は、画面３と、キーボードを含む入力装置が一体になったコンピュータ本体４とからなる。ノートパソコン２に代えて、表示装置とコンピュータ本体とからなるデスクトップ型のパソコン等の情報処理装置であってもよい。
【００１９】
測定データ表示装置１に測定データを伝送するシステムとしては、図１及び図２に示すように、環境放射線量を測定する携帯可能な測定器たる線量計５と、線量計５が測定した環境放射線量の測定データを受信する、通信可能な携帯端末であるスマートフォン６とで構成される。
【００２０】
各部について説明する。
【００２１】
ノートパソコン２は、構造的には、ＣＰＵ、内部メモリ、ハードディスク等の記憶装置、Ｉ／Ｏインターフェース、通信インターフェース等を有する。ノートパソコン２は、記憶装置に記憶させた各種のアプリケーションソフトウェア（以下、プログラムと言う）に基づいてＣＰＵが動作することにより、各種の機能を発揮するものである。記憶装置には、システムソフトウェア、通信プログラム、メールプログラム、地図に放射線量を表示するためのプログラム（以下、表示プログラムと言う）等が格納してある。ノートパソコン２は、図２に示すように、そのコンピュータ本体４が、スマートフォン６から測定データを例えばメールを介して受信する受信部２ａと、画面３の表示を制御する表示制御部２ｂとして機能する。
【００２２】
線量計５は、図示しないシンチレータを利用したものであって、外部から飛来したγ線などの放射線を捕らえて受光器やカウンタなどでその量を測定し、単位時間あたりの放射線量を示す測定データを出力するものである。なお、他の方式で放射線を測定するものでももちろん構わない。
【００２３】
またこの線量計５は、近距離無線通信機能として、ブルートゥースを搭載している。線量計５は、環境放射線量の測定中、測定データをブルートゥースによりリアルタイムで携帯端末たるスマートフォン６に伝送する。従って、線量計５で環境放射線量を測定する場合、常にスマートフォン６を携帯し、スマートフォン６はブルートゥースによる測定データを受信できる状態に設定しておくものである。環境放射線量の測定は、線量計５の電源スイッチ７を操作して電源オンにすると、所定間隔、例えば１０秒間隔で繰り返し環境放射線量を測定し、電源スイッチ７を操作して電源オフにすることで測定を中止する。具体的には、線量計５は、例えば６０秒間に測定した測定値を積算し、その移動平均を算出して一時間当たりの環境放射線量（マイクロシーベルト／時間）を取得して、１０秒間隔で測定データを作成し、自身の有する簡易ディスプレイに出力する。また、かかる測定データは、この線量計５に蓄積されることなく、逐次、スマートフォン６に送信される。なお、符号８は、内蔵するブザーのオンオフのためのスイッチである。
【００２４】
スマートフォン６は、位置特定機能たるＧＰＳ（Ｇｌｏｂａｌ  Ｐｏｓｉｔｉｏｎｉｎｇ  Ｓｙｓｔｅｍ）機能を搭載する機種であり、ＧＰＳ衛星ＡＳから電波を受信し、位置データを取得する。位置データは、経度データ、緯度データ及び標高データで構成される。なお、標高データは必ずしも必要ではない。スマートフォン６は、線量計５から測定データを受信した場合、測定データと、測定データを受信した時刻に対応する時刻データと、測定データを受信した時の場所に対応する位置データとを対応付けてデータファイルＤＦを作成する。上述したように、測定継続状態となった場合は、その間に受信した各測定データに対して、位置データと時刻データとを対応付けて１つのデータファイルＤＦを作成する。このスマートフォンに代えて、位置特定機能を有したノートパソコンやタブレットコンピュータなどの携帯端末を利用することもできる。
【００２５】
データファイルＤＦは、図３に示すように、例えばＣＳＶ（Ｃｏｍｍａ−Ｓｅｐａｒａｔｅｄ  Ｖａｌｕｅｓ）形式のファイルである。データファイルＤＦは、線量計５の一回の測定、つまり線量計５の電源がオンまたはブルートゥースの電源がオンとなった時点からオフになるまでの期間での測定で１つ作成される。例えば、電源スイッチ７の操作が略一分で切り替えられた場合には、１個の測定データとその測定データに関連する位置データ及び時刻データとで１つのデータファイルＤＦが作成される。
【００２６】
一方、電源スイッチ７が、１０分程度継続してオンの状態を維持しその後にオフにされると、環境放射線量の測定が、所定間隔で繰り返し行われることになり、所定間隔をあけて得られた一連の測定データ、つまり複数の測定データとそれらの測定データに対応する位置データ及び時刻データとにより１つのデータファイルＤＦが作成される。以上のようにして作成されたデータファイルＤＦは、スマートフォン６からノートパソコン２に伝送される。
【００２７】
ノートパソコン２へのデータファイルＤＦの伝送は、遠方にノートパソコン２が置かれている場合は、例えばメールに添付して行われる。一方、スマートフォン６の近くにノートパソコン２がある場合で、ブルートゥースを使用することができる場合はブルートゥースで、またはＵＳＢケーブルがある場合はＵＳＢ接続で行う。なお、線量計５からブルートゥース又はＵＳＢケーブルを介して直接ノートパソコンに伝送し、データファイルＤＦを作成するようにしても良い。ノートパソコン２に伝送され、格納されたデータファイルＤＦは、記憶装置の指定された場所に保存され、そのアイコン９がノートパソコン２の画面３、すなわちデスクトップ１０に直接に、あるいはデータファイルＤＦが入れられたフォルダにより表示される。図４に示す例にあっては、アイコン９をデスクトップ１０に表示している。
【００２８】
以上の構成において、ノートパソコン２において表示プログラムを起動させると、図４に示すように、画面３のデスクトップ１０に表示されるウィンドウ１１が表示され、そのウィンドウ１１内には任意の地図（図示しない）が表示される。任意の地図とは、例えば全世界を表示する世界地図、日本とその周辺を表示する地図、近畿地方を表示する地図等、いずれの地図であってもよい。また、ウィンドウ１１には、初期設定された地図が表示されるものであってもよい。
【００２９】
次に、図４に点線で示すように、１又は複数のアイコン９をウィンドウ１１内に移動、つまりドラッグ（及びドロップ）することにより、その、又はそれらのアイコン９のデータファイルＤＦの測定データの値に応じて予め定めてある所定態様のシンボルである円形の点１２が、図５に示すように、ウィンドウ１１内の地図１３上に表示される。シンボルは、円形以外に、正方形や正三角形等の多角形状をする点であってもよい。また形状と色とを組み合わせて、測定データの放射線量を区別できるようにするものであってもよい。
このとき、地図の縮尺は、ウィンドウ１１内に、全ての測定データが含まれてそのシンボルが表示される最大の縮尺に設定される。
【００３０】
まず、１個の測定データからなるデータファイルＤＦのアイコン９をドラッグすると、そのデータファイルＤＦの位置データに対応する位置を含む地図１３がウィンドウ１１内に表示され、位置データに対応するその地図１３上の位置に着色された点１２で測定データが表示される。すなわち、測定データは、環境放射線量の値に応じて色分けされた点１２で表示される。例えば、緑色の点１２は低レベル、黄色の点１２は中レベル、茶色の点１２は高レベル、赤色の点１２は警戒レベル、といったように、環境放射線量を直感的に把握し得るように、それぞれの点１２を設定する。
【００３１】
次に、一つのデータファイルＤＦ内に複数の測定データがある場合は、それぞれの測定データが、時刻データと位置データとに対応して、ウィンドウ１１内の地図１３上に点１２で表示される。すなわち、測定データが複数の場合は、全ての測定データが一画面の地図１３上に一括して表示される。この場合、測定位置が変化していない測定データでは、同じ位置に時系列の測定データに係る点が重ねて表示されることになる。一方、時刻と共に測定位置が変わる複数の測定データでは、それぞれの測定データが所定間隔で取得されたものであるので、互いに接した一連の点により線状になって地図１３上に表示される。それぞれの測定データが異なる場合は、異なる色の点１２が連なる線状になって表示される。なお、測定時間は異なるものの、同じ場所又は近い場所で測定された測定データが複数存在する場合には、例えば、最新の測定データのみを選択してそのシンボルをマッピングしたり、最新のものが地図の最前面に表示されるようにしたりして、見やすくするようにしてもよい。
【００３２】
上記の場合とは異なり、複数のデータファイルＤＦをウィンドウ１１内にドラッグした場合は、それぞれのデータファイルＤＦの測定データが点１２により同一の地図１３上に全て表示される。言い換えれば、それぞれのデータファイルＤＦ毎に個別にウィンドウ１１が開かれて、それぞれのウィンドウ１１に地図１３が表示されるのではなく、それぞれのデータファイルＤＦに含まれる位置データの全てをカバーする領域を示す地図１３上に一括して表示される。この場合、それぞれのデータファイルＤＦの測定データが取得された場所が例えば、市町村単位等の近距離領域ではなく都道府県単位あるいは国単位等の遠距離領域であっても、その全てのデータファイルＤＦに含まれる測定データの点１２を同一の地図１３上に全て表示するものである。
【００３３】
点１２が地図１３上に表示されている状態で、マウスカーソルを点１２に重ね合わせると、図５に示すように、その点１２の時刻データ、測定データ及び位置データの各値が吹き出し１４の中に、文字で表示される。従って、点１２により測定データの大雑把な値を把握することができるとともに、各点１２に対応する測定データ等の詳細を把握することができる。この場合、マウスカーソルを点１２に重ね合わせるのみで吹き出し１４が表示されるので、マウスカーソルを表示されている点１２上を移動させることにより、連続的に測定データ等の詳細を見ることができる。
【００３４】
このように、広域に点在する測定データであっても同一の地図１３上に表示するので、ウィンドウ１１内に表示される地図１３の縮尺は常に同一ではなく、ドラッグされたデータファイルＤＦに含まれる位置データに対応して表示制御部２ｂが縮尺を変化させる。つまり、上記した測定位置が複数で広域に拡散している１つのデータファイルＤＦ、及び測定地点が例えば都道府県単位の距離で離れている場所で作成された複数のデータファイルＤＦを、ウィンドウ１１内にドラッグした場合は、縮尺が小さくなる傾向にある。従って、測定位置により環境放射線量がどのように変化しているかを把握することができる。
【００３５】
しかも、デスクトップ１０上に表示されているアイコン９を、表示プログラムにおける開いているウィンドウ１１上にドラッグアンドドロップするだけで、適切と判断できる地図を選択することなく自動的に、測定場所に対応する適切な地図１２上に、アイコン９で関連付けられた全ての測定データが、環境放射線量の違いに応じて異なる色の点１２で表示されるので、直感的に環境放射線量を認識することができる。
【００３６】
加えて、この実施形態では携帯可能な線量計５を、携帯するスマートフォン６と組み合わせて測定データのデータファイルＤＦを作成しているので、その両者を携帯して行ける場所であればどこでも環境放射線量を測定することができ、機動性を発揮することができる。
【００３７】
また、例えば数秒、数十秒単位で自動的に連続的に測定データを出力し、多くの測定データを含むデータファイルが複数生成される場合であっても極めて容易にかつ見やすい態様で地図上にマッピングすることができる。
なお、本発明は前記実施形態に限られるものではない。
【００３８】
上記実施形態においては、スマートフォン６からコンピュータ２への測定データの伝送を、メール等により行うものを説明したが、クラウドコンピューティング又はネットワークコンピューティングに代表されるインターネットをベースにしたアプリケーションソフトや記憶装置を利用するものであってよい。この場合、例えばクラウドコンピューティングにおいて使用できるＣＳＶ形式のデータを作成できるアプリケーションソフトを使用してデータファイルを作成し、そのデータファイルをクラウドコンピューティングの記憶装置に保存し、その記憶装置にインターネットを介してアクセスすることにより、種々の場所から環境放射線量を確認することができるようにする構成であってもよい。
【００３９】
このような構成であれば、インターネット上の保存場所を共有することにより、さまざまな場所で測定した環境放射線量を、測定した人以外の複数の人が環境放射線量を確認することができる。また、クラウドコンピューティングを使用する場合、アプリケーションソフトウェアも共有することができるので、測定データの閲覧に要する各人の負担を軽減することができる。
【００４０】
また、スマートフォン６に代えて、ＧＰＳ機能及びブルートゥース等を備えるタブレット型コンピュータを用いるものであってよい。この場合、上記したノートパソコン２はなくてもよい。
測定データとしては、ＮＯｘ濃度やＣＯ２濃度、ｐＨなどのイオン濃度、その他の環境関連パラメータ、それら以外にも測定位置と関連づけて測定値を把握すべきパラメータであればよい。
【００４１】
その他、本発明は前記実施形態に限られず、その趣旨を逸脱しない範囲で種々の変形が可能であるのは言うまでもない。
【図１】
2013118837.tif 000003
【図２】
2013118837.tif 000004
【図３】
2013118837.tif 000005
【図４】
2013118837.tif 000006
【図５】
2013118837.tif 000007
【国際調査報告】
2013118837.tif 000008
2013118837.tif 000009
2013118837.tif 000010
2013118837.tif 000011